(57)【特許請求の範囲】
【請求項１】
ユーザデータから構成される複数のプログラムを複数の異なる記録モードで記録可能な記録媒体に、各プログラムにトラック番号を割り当て、トラック番号に従った順序でのプログラムの再生を可能として記録する記録装置であって、
新たなプログラムを記録する際に、同一の記録モードで既に前記記録媒体に記録されたプログラムに割り当てられているトラック番号に続くトラック番号を、新たに記録するプログラムに割り当て、新たに記録するプログラムに割り当てたトラック番号以上のトラック番号が割り当てられて既に前記記録媒体に記録されているプログラムに対するトラック番号の割り当てを自動的に変更する、
ことにより同一の記録モードのプログラムを続けて再生可能として前記記録媒体に記録することを特徴とする記録装置。
【請求項２】
書き換え可能な記録媒体に対して、複数の記録モードでデータを記録する記録装置であって、
前記記録媒体に対してデータを記録する媒体記録手段と、
前記媒体記録手段が前記記録媒体に対してユーザデータから構成されるプログラムを記録する際に、同一の記録モードで既に前記記録媒体に記録されたプログラムに割り当てられているトラック番号に続くトラック番号を、新たに記録するプログラムに割り当て、新たに記録するプログラムに割り当てたトラック番号以上のトラック番号が割り当てられて既に前記記録媒体に記録されているプログラムに１だけインクリメントしたトラック番号を割り当て直すことにより、トラック番号の割り当てを変更する記録制御手段とを備える、
ことを特徴とする記録装置。
【請求項３】
前記記録制御手段は、新たに記録するプログラムと同一モードのプログラムが前記記録媒体に記録されていないと判別すると、新たに記録するプログラムに最大のトラック番号を割り当てる、
ことを特徴とする請求項２に記載の記録装置。
【請求項４】
前記記録制御手段は、新たに記録するプログラムと同一モードのプログラムが前記記録媒体に記録されていないと判別すると、新たに記録するプログラムに最小のトラック番号を割り当てる、
ことを特徴とする請求項２に記載の記録装置。
【請求項５】
前記記録制御手段は、各プログラムへのトラック番号の割り当てを示す管理情報を作成して前記媒体記録手段に供給し、前記記録媒体の所定領域に書き込ませる、
ことを特徴とする請求項２、３又は４に記載の記録装置。
【請求項６】
前記複数の記録モードは、互いに圧縮率が異なる記録モードを含む、
ことを特徴とする請求項２から５のいずれか１項に記載の記録装置。
【請求項７】
書き換え可能な光磁気ディスクに対して、圧縮率が異なる複数の記録モードでデータを記録する光磁気ディスク記録装置であって、
前記光磁気ディスクに対してデータを記録するデータ記録手段と、
前記データ記録手段が前記光磁気ディスクに対してユーザデータから構成されるプログラムを記録する際に、同一の記録モードで既に前記光磁気ディスクに記録されたプログラムに割り当てられているトラック番号に続くトラック番号を、新たに記録するプログラムに割り当て、新たに記録するプログラムに割り当てたトラック番号以上のトラック番号が割り当てられて前記光磁気ディスクに記録されているプログラムに対するトラック番号の割り当てを変更したＵ−ＴＯＣ（User's Table Of Contents）を作成し、前記データ記録手段により前記光磁気ディスクに記録させる記録制御手段とを備える、
ことを特徴とする光磁気ディスク記録装置。
【請求項８】
ユーザデータから構成される複数のプログラムを複数の異なる記録モードで記録可能な記録媒体に、各プログラムにトラック番号を割り当て、トラック番号に従った順序でプログラムの再生を可能として記録する記録方法であって、
新たなプログラムを記録する際に、同一の記録モードで既に前記記録媒体に記録されたプログラムに割り当てられているトラック番号に続くトラック番号を、新たに記録するプログラムに割り当て、新たに記録するプログラムに割り当てたトラック番号以上のトラック番号が割り当てられて既に前記記録媒体に記録されているプログラムに１だけインクリメントしたトラック番号を割り当て直すことにより、トラック番号の割り当てを変更する、
ことを特徴とする記録方法。
【請求項９】
書き換え可能な光磁気ディスクに対して、圧縮率が異なる複数の記録モードでデータを記録する光磁気ディスク記録装置として機能するコンピュータを、
前記光磁気ディスクに対してデータを記録するデータ記録手段と、
前記データ記録手段が前記光磁気ディスクに対してユーザデータから構成されるプログラムを記録する際に、同一の記録モードで既に前記光磁気ディスクに記録されたプログラムに割り当てられているトラック番号に続くトラック番号を、新たに記録するプログラムに割り当て、新たに記録するプログラムに割り当てたトラック番号以上のトラック番号が割り当てられて前記光磁気ディスクに記録されているプログラムに対するトラック番号の割り当てを変更したＵ−ＴＯＣ（User's Table Of Contents）を作成し、前記データ記録手段により前記光磁気ディスクに記録させる記録制御手段、
として機能させるプログラムを記録したコンピュータ読み取り可能な記録媒体。
【発明の詳細な説明】
【０００１】
【発明の属する技術分野】
この発明は、例えば光磁気ディスクといった書き換え可能な記録媒体に、楽曲等のプログラムを単位としてデータを記録する記録装置に係り、特に、適切な順序でプログラムを再生可能とするべくデータを記録する記録装置に関する。
【０００２】
【従来の技術】
オーディオデータ等の情報を書き換え可能に記録する記録媒体として、例えばＭＤ（Mini Disc〜商標）といった光磁気ディスク等が知られている。こうしたＭＤ等の書込可能な記録媒体にオーディオデータ等のユーザデータを記録する際には、例えば１曲分の楽曲といったプログラム毎にトラック番号を割り当てる。これにより、記録媒体からプログラムを再生する際には、例えばトラック番号が増加する順序で再生することができる。
【０００３】
ここで、書込可能な記録媒体にユーザデータを記録する際に割り当てられるトラック番号は、通常、既に記録媒体に記録されているプログラムに割り当てられた最大のトラック番号を１だけ増加したものである。
ユーザは、こうして記録した楽曲等のプログラム毎に割り当てられたトラック番号を、編集キー等を操作して録音装置等に指示を入力することにより、変更する（入れ替える）ことができる。
【０００４】
また、特開平１１−３９８４４号公報には、新規に記録したプログラムの曲番（この明細書でのトラック番号に相当する）を先頭の曲番にする技術が開示されている。
【０００５】
【発明が解決しようとする課題】
ところで、ＭＤ等の記録媒体に記録するユーザデータの圧縮率は、一種類に制限されるものではなく、例えば互いに異なる圧縮率に設定された複数の記録モードを用意しておき、データの内容や用途等に応じて記録モードを切り換えることが考えられる。これにより、例えば、ユーザが決定した重要度に合わせて記録モードを選択し、プログラム毎に異なる記録モードで記録することができる。
この場合、１つの記録媒体に、圧縮率の異なる複数のプログラムが記録されることになる。
【０００６】
この際、上記従来技術によると、通常、新たに記録されたプログラムには、記録モードに関係なく、記録媒体に記録されたプログラムのうちで最大のトラック番号が割り当てられる。
従って、再生時には、トラック番号が増加する順序で再生したプログラム毎に、ユーザデータの圧縮率の変更が生じ、音質等が頻繁に変化することがある。
このため、ユーザが各プログラムの重要度を識別できなくなって混乱したり、不快感を覚えることがある。こうした不都合を解消するためには、編集キー等を操作してトラック番号の割り当てを変更することになるが、この操作は面倒である。
【０００７】
また、特開平１１−３９８４４号公報に開示されている技術も、新規に記録したプログラムに先頭の曲番が付されるのみで、記録モードについては一切考慮されていない。
【０００８】
この発明は、上記実状に鑑みてなされたものであり、複数の記録モードに合わせて適切な順序でプログラムを再生可能とするべく、記録媒体にデータを記録することができる記録装置を提供することを目的とする。
【０００９】
【課題を解決するための手段】
上記目的を達成するため、この発明の第１の観点に係る記録装置は、
ユーザデータから構成される複数のプログラムを複数の異なる記録モードで記録可能な記録媒体に、各プログラムにトラック番号を割り当て、トラック番号に従った順序でのプログラムの再生を可能として記録するものであって、
新たなプログラムを記録する際に、同一の記録モードで既に前記記録媒体に記録されたプログラムに割り当てられているトラック番号に続くトラック番号を、新たに記録するプログラムに割り当て、新たに記録するプログラムに割り当てたトラック番号以上のトラック番号が割り当てられて既に前記記録媒体に記録されているプログラムに対するトラック番号の割り当てを自動的に変更する、
ことにより同一の記録モードのプログラムを続けて再生可能として前記記録媒体に記録することを特徴とする。
【００１０】
この発明によれば、新たなプログラムを記録する際に、同一の記録モードで既に記録媒体に記録されたプログラムに割り当てられているトラック番号に続くトラック番号を、新たに記録するプログラムに割り当てる。
これにより、同一の記録モードのプログラムを続けて再生可能として記録することができ、複数の記録モードに合わせた適切な順序で再生可能とするべくデータを記録することができる。
【００１１】
この発明の第２の観点に係る記録装置は、
書き換え可能な記録媒体に対して、複数の記録モードでデータを記録するものであって、
前記記録媒体に対してデータを記録する媒体記録手段と、
前記媒体記録手段が前記記録媒体に対してユーザデータから構成されるプログラムを記録する際に、同一の記録モードで既に前記記録媒体に記録されたプログラムに割り当てられているトラック番号に続くトラック番号を、新たに記録するプログラムに割り当て、新たに記録するプログラムに割り当てたトラック番号以上のトラック番号が割り当てられて既に前記記録媒体に記録されているプログラムに１だけインクリメントしたトラック番号を割り当て直すことにより、トラック番号の割り当てを変更する記録制御手段とを備える、
ことを特徴とする。
【００１２】
この発明によれば、新たなプログラムを記録する際に、記録制御手段は、同一の記録モードで既に記録媒体に記録されたプログラムに割り当てられているトラック番号に続くトラック番号を、新たに記録するプログラムに割り当てる。また、記録制御手段は、新たに記録するプログラムに割り当てたトラック番号以上のトラック番号が割り当てられて既に記録媒体に記録されているプログラムに１だけインクリメントしたトラック番号を割り当て直すことにより、トラック番号の割り当てを変更する。
これにより、同一の記録モードのプログラムを続けて再生できるようにグループ化して記録することができ、複数の記録モードに合わせた適切な順序で再生可能とするべくデータを記録することができる。
【００１３】
また、前記記録制御手段は、新たに記録するプログラムと同一モードのプログラムが前記記録媒体に記録されていないと判別すると、新たに記録するプログラムに最大のトラック番号を割り当てることが望ましい。
あるいは、前記記録制御手段は、新たに記録するプログラムと同一モードのプログラムが前記記録媒体に記録されていないと判別すると、新たに記録するプログラムに最小のトラック番号を割り当ててもよい。
【００１４】
前記記録制御手段は、各プログラムへのトラック番号の割り当てを示す管理情報を作成して前記媒体記録手段に供給し、前記記録媒体の所定領域に書き込ませることが望ましい。
また、前記複数の記録モードは、互いに圧縮率が異なる記録モードを含んでいてもよい。
【００１５】
この発明の第３の観点に係る光磁気ディスク記録装置は、
書き換え可能な光磁気ディスクに対して、圧縮率が異なる複数の記録モードでデータを記録するものであって、
前記光磁気ディスクに対してデータを記録するデータ記録手段と、
前記データ記録手段が前記光磁気ディスクに対してユーザデータから構成されるプログラムを記録する際に、同一の記録モードで既に前記光磁気ディスクに記録されたプログラムに割り当てられているトラック番号に続くトラック番号を、新たに記録するプログラムに割り当て、新たに記録するプログラムに割り当てたトラック番号以上のトラック番号が割り当てられて前記光磁気ディスクに記録されているプログラムに対するトラック番号の割り当てを変更したＵ−ＴＯＣ（User's Table Of Contents）を作成し、前記データ記録手段により前記光磁気ディスクに記録させる記録制御手段とを備える、
ことを特徴とする。
【００１６】
この発明によれば、記録制御手段は、データ記録手段が光磁気ディスクに楽曲等のプログラムを記録する際に、同一の記録モードで既に光磁気ディスクに記録されたプログラムに割り当てられているトラック番号に続くトラック番号を割り当て、新たに記録するプログラムに割り当てたトラック番号以上のトラック番号が割り当てられて光磁気ディスクに記録されているプログラムに対するトラック番号の割り当てを変更したＵ−ＴＯＣを作成する。記録制御手段が作成したＵ−ＴＯＣは、データ記録手段により光磁気ディスクに記録される。
これにより、圧縮率が異なる複数の記録モードに合わせて適切な順序で再生可能とするべくデータを記録することができる。
【００１７】
この発明の第４の観点に係る記録方法は、
ユーザデータから構成される複数のプログラムを複数の異なる記録モードで記録可能な記録媒体に、各プログラムにトラック番号を割り当て、トラック番号に従った順序でプログラムの再生を可能として記録する方法であって、
新たなプログラムを記録する際に、同一の記録モードで既に前記記録媒体に記録されたプログラムに割り当てられているトラック番号に続くトラック番号を、新たに記録するプログラムに割り当て、新たに記録するプログラムに割り当てたトラック番号以上のトラック番号が割り当てられて既に前記記録媒体に記録されているプログラムに１だけインクリメントしたトラック番号を割り当て直すことにより、トラック番号の割り当てを変更する、
ことを特徴とする。
【００１８】
この発明の第５の観点に係る記録媒体は、
書き換え可能な光磁気ディスクに対して、圧縮率が異なる複数の記録モードでデータを記録する光磁気ディスク記録装置として機能するコンピュータを、
前記光磁気ディスクに対してデータを記録するデータ記録手段と、
前記データ記録手段が前記光磁気ディスクに対してユーザデータから構成されるプログラムを記録する際に、同一の記録モードで既に前記光磁気ディスクに記録されたプログラムに割り当てられているトラック番号に続くトラック番号を、新たに記録するプログラムに割り当て、新たに記録するプログラムに割り当てたトラック番号以上のトラック番号が割り当てられて前記光磁気ディスクに記録されているプログラムに対するトラック番号の割り当てを変更したＵ−ＴＯＣ（User's Table Of Contents）を作成し、前記データ記録手段により前記光磁気ディスクに記録させる記録制御手段、
として機能させるプログラムを記録し、コンピュータ読み取り可能であることを特徴とする。
【００１９】
【発明の実施の形態】
以下に、図面を参照して、この発明の実施の形態に係る記録装置について詳細に説明する。
【００２０】
図１は、この発明の実施の形態に係る記録装置１００の構成を示す図である。この記録装置１００は、例えばＭＤ（Mini Disc）といった書込可能な記録媒体１に楽曲等を示すユーザデータを記録するための光磁気ディスク記録装置等であり、図１に示すように、ディスク記録処理部２と、システムコントローラ３と、指示入力部４と、表示部５とを備えている。
【００２１】
ディスク記録処理部２は、光ピックアップ、磁気ヘッド、サーボ回路、ＤＳＰ（Digital Signal Processor）等から構成され、ＭＤ等の書込可能な記録媒体１に楽曲等を示すデータを記録するためのものである。
例えば、ディスク記録処理部２は、音声入力端子Ａｉから入力された音声信号に基づいて録音用のオーディオデータを生成し、例えば１曲分の楽曲といったプログラム毎にトラック番号を割り当てて記録媒体１に記録する。また、ディスク記録処理部２は、システムコントローラ３により作成されたＵ−ＴＯＣ（User's Table Of Contents）といった管理情報を受け、記録媒体１の所定領域に書き込んで記録する。
ここで、ディスク記録処理部２は、システムコントローラ３の制御に従って、例えば圧縮率が異なる複数の記録モードで、記録媒体１にユーザデータを記録可能である。
【００２２】
システムコントローラ３は、例えばＲＡＭ（Random Access Memory）及びＲＯＭ（Read Only Memory）を備えたマイクロプロセッサ等から構成され、この記録装置１００全体の動作を制御するためのものである。
例えば、システムコントローラ３は、指示入力部４から入力された指示に従ってディスク記録処理部２の動作を制御し、音声入力端子Ａｉより入力された音声信号に基づく録音のための処理を実行する。
この際、システムコントローラ３は、ディスク記録処理部２が記録媒体１に記録するデータの構成等を示す管理情報を作成する。こうして作成された管理情報は、例えば電源切断時にディスク記録処理部２に供給され、記録媒体１の所定領域に書き込まれる。
【００２３】
また、システムコントローラ３は、指示入力部４から入力された指示に応じて、例えば圧縮率が異なる複数の記録モードのうちのいずれかを特定し、ディスク記録処理部２を制御して、特定した記録モードでデータを記録させる。
ここで、システムコントローラ３は、プログラムを記録モード毎にグループ化して記録するための処理を実行するグループ記録処理部１０を備えている。
【００２４】
グループ記録処理部１０は、ユーザデータを記録媒体１に記録する際に、各プログラムへのトラック番号の割り当てを調整するための処理を実行し、再生時に、同一の記録モードで記録されたプログラムを続けて再生可能とするグループ化を行うためのものである。
すなわち、グループ記録処理部１０は、ディスク記録処理部２が記録媒体１から読み出した、例えばＵ−ＴＯＣといった管理情報を受けて記録媒体１の記録内容を特定し、新たに記録するユーザデータの記録モードに合わせて各プログラムにトラック番号を割り当てる。グループ記録処理部１０は、例えば各プログラムへのトラック番号の割り当てを示す管理情報を作成してディスク記録処理部２に供給し、記録媒体１の所定領域に書き込ませる。
【００２５】
指示入力部４は、例えばキーパッド、リモコンユニット等から構成され、ユーザからの指示を示す指示情報をシステムコントローラ３に入力するためのものである。
【００２６】
表示部５は、例えばＬＣＤ（Liquid Crystal Display）パネル等から構成され、システムコントローラ３の制御に従った画像等を表示するためのものである。
【００２７】
以下に、この発明の実施の形態に係る記録装置１００の動作を説明する。
この記録装置１００は、指示入力部４から入力された指示に従って、音声入力端子Ａｉから音声信号を取り込み、例えばＡＴＲＡＣ（Adaptive Transfer Acoustic Coding）方式等で圧縮されたオーディオデータ等のユーザデータを生成して記録媒体１に記録する。
【００２８】
この際、ユーザは、指示入力部４を操作して指示を入力するなどして、記録媒体１に記録するユーザデータの記録モードを設定することができる。
例えば、この記録装置１００は、ＡＴＲＡＣ方式や、ＡＴＲＡＣ３−ＬＰ２方式、ＡＴＲＡＣ３−ＬＰ４方式等にそれぞれ対応する複数の記録モードを用意している。
システムコントローラ３は、ユーザデータを記録媒体１に記録する際に、ディスク記録処理部２の動作を制御して、指示入力部４により設定された記録モードに応じた圧縮処理等を実行させる。また、この際、システムコントローラ３は、例えば表示部５に現在の記録モードを示す画像等を表示して、ユーザに通知してもよい。
【００２９】
この記録装置１００は、記録媒体１にユーザデータを記録する際、指示入力部４から入力された指示に従って、グループ記録処理部１０が、図２のフローチャートに示すグループ記録処理を実行する。
【００３０】
グループ記録処理部１０は、グループ記録処理を開始すると、記録モードごとにプログラムをグループ化する旨の指示が、指示入力部４により入力されたか否かを判別する（ステップＳ１）。
【００３１】
グループ記録処理部１０は、グループ化する旨の指示が入力されていないと判別すると（ステップＳ１にてＮＯ）、グループ記録処理を終了する。
この場合、システムコントローラ３は、例えば、従来と同様に、既に記録媒体１に記録されているプログラムに割り当てられている最大のトラック番号を１だけ増加したトラック番号を、新たに記録するプログラムに順次割り当てた管理情報を作成する。
こののち、例えば指示入力部４から電源切断の指示が入力されると、システムコントローラ３は、作成した管理情報をディスク記録処理部２に供給し、記録媒体１の所定領域に書き込ませる。
【００３２】
一方、グループ記録処理部１０は、グループ化する旨の指示が入力されたと判別すると（ステップＳ１にてＹＥＳ）、図３のフローチャートに示す同一記録モード検索処理を実行する（ステップＳ２）。
【００３３】
グループ記録処理部１０は、この同一記録モード検索処理を実行する際、新たに記録するユーザデータの記録モードと同一の記録モードで既に記録媒体１に記録されているプログラムに割り当てられた最大トラック番号を特定するため、トラック番号を示す変数SearchTNOを用いる。
【００３４】
グループ記録処理部１０は、同一記録モード検索処理を開始すると、変数SearchTNOを、記録媒体１に既に記録されているプログラムに割り当てられた最大トラック番号とする（ステップＳ１１）。
【００３５】
グループ記録処理部１０は、記録媒体１にて変数SearchTNOに示されるトラック番号が割り当てられたプログラムの記録モードが、新たにユーザデータ（プログラム）を記録する際の記録モードと一致するか否かを判別する（ステップＳ１２）。
この際、グループ記録処理部１０は、変数SearchTNOに示されるトラック番号が割り当てられたプログラムの記録モードを、例えばディスク記録処理部２から受けたＵ−ＴＯＣといった管理情報から特定し、新たにユーザデータを記録する際の記録モードと比較する。
【００３６】
グループ記録処理部１０は、記録モードが一致すると判別すると（ステップＳ１２にてＹＥＳ）、変数SearchTNOを保持して、同一記録モード検索処理を終了する。
この際、グループ記録処理部１０は、例えば、表示部５を制御して、”記録モードXXのグループに追加記録します”（XXは、ユーザデータの記録モードを示す）といったメッセージを示す画像等を表示して、ユーザに通知するようにしてもよい。
【００３７】
一方、グループ記録処理部１０は、記録モードが一致しないと判別すると（ステップＳ１２にてＮＯ）、変数SearchTNOに示されるトラック番号が、記録媒体１に記録されているプログラムに割り当てられた最小トラック番号と一致するか否かを判別する（ステップＳ１３）。
【００３８】
グループ記録処理部１０は、最小トラック番号と一致しないと判別すると（ステップＳ１３にてＮＯ）、変数SearchTNOを１だけデクリメントして（ステップＳ１４）、処理を上記ステップＳ１２にリターンする。
これにより、グループ記録処理部１０は、１だけ小さいトラック番号が割り当てられたプログラムの記録モードが、新たに記録するユーザデータの記録モードと一致するか否かを判別する。
【００３９】
一方、グループ記録処理部１０は、最小トラック番号と一致すると判別すると（ステップＳ１３にてＹＥＳ）、変数SearchTNOを、記録媒体１に既に記録されているプログラムに割り当てられた最大トラック番号とする（ステップＳ１５）。
これにより、記録媒体１に記録されているプログラムのうちに、新たに記録するユーザデータと同一の記録モードで記録されたものがない場合には、従来と同様に、最大のトラック番号を付すことができるようにする。
【００４０】
なお、この際、新たに記録するプログラムに先頭のトラック番号を割り当てる場合には、変数SearchTNOを、記録媒体１に記録されているプログラムに割り当てられた最小トラック番号としてもよい。
また、この際、グループ記録処理部１０は、例えば、表示部５を制御して、”新規な記録モードです”といったメッセージを示す画像等を表示して、ユーザに通知するようにしてもよい。
こののち、グループ記録処理部１０は、同一記録モード検索処理を終了する。
【００４１】
このようにして、同一記録モード検索処理を終了すると、記録媒体１に新たに記録するユーザデータの記録モードと同一の記録モードのプログラムが既に記録されている場合には、そのプログラムに割り当てられた最大トラック番号が変数SearchTNOに保持される。一方、記録媒体１に新たに記録するユーザデータの記録モードと同一の記録モードのプログラムが未だ記録されていない場合には、記録媒体１に記録されているプログラムの最大トラック番号が変数SearchTNOに保持される。
【００４２】
同一記録モード検索処理が終了すると、図２に戻って、グループ記録処理部１０は、記録媒体１に新たに記録するユーザデータから構成されるプログラムに割り当てるトラック番号を示す変数RecTNOを、変数SearchTNOより１だけ大なる数に設定する（ステップＳ３）。
【００４３】
こののち、グループ記録処理部１０は、図４のフローチャートに示すトラック移動処理を実行して、記録媒体１に既に記録されているプログラムに割り当てられたトラック番号を調整する（ステップＳ４）。
【００４４】
グループ記録処理部１０は、このトラック移動処理を実行する際、記録媒体１に既に記録されトラック番号が割り当てられているプログラムのうちから、トラック番号の割り当てを変更するプログラムを特定するため、トラック番号を示す変数MoveTNOを用いる。
【００４５】
グループ記録処理部１０は、トラック移動処理を開始すると、変数RecTNOが、記録媒体１に既に記録されているプログラムに割り当てられた最大トラック番号より１だけ大なる数であるか否かを判別する（ステップＳ２１）。
【００４６】
グループ記録処理部１０は、変数RecTNOが最大トラック番号より１だけ大なる数であると判別すると（ステップＳ２１にてＹＥＳ）、トラック移動処理を終了する。
すなわち、記録媒体１に記録されたプログラムの末尾となるトラック番号が新たに記録するプログラムに割り当てられる場合には、既に記録媒体１に記録されているプログラムを移動することなく、トラック移動処理を終了する。
【００４７】
一方、グループ記録処理部１０は、最大トラック番号より１だけ大なる数ではないと判別すると（ステップＳ２１にてＮＯ）、変数MoveTNOを、記録媒体１に既に記録されているプログラムに割り当てられた最大トラック番号とする（ステップＳ２２）。
【００４８】
グループ記録処理部１０は、変数MoveTNOに示されるトラック番号が割り当てられているプログラムに、そのトラック番号を１だけインクリメントしたトラック番号を割り当て直す（ステップＳ２３）。
例えば、グループ記録処理部１０は、ＭＤの管理情報であるＵ−ＴＯＣに示されるＰ−ＴＮＯｎ（ｎ；０〜２５５、Pointer for Track Number n）の内容を変更することにより、トラック番号を割り当て直す。
これにより、グループ記録処理部１０は、記録媒体１に既に記録されているプログラムへのトラック番号の割り当てを調整する。
【００４９】
こののち、グループ記録処理部１０は、変数MoveTNOを１だけデクリメントして（ステップＳ２４）、変数RecTNOより１だけ小なる数と一致するか否かを判別する（ステップＳ２５）。
グループ記録処理部１０は、一致しないと判別すると（ステップＳ２５にてＮＯ）、処理を上記ステップＳ２３にリターンして、記録媒体１に既に記録されているプログラムへのトラック番号の割り当てを調整する。
一方、グループ記録処理部１０は、一致すると判別すると（ステップＳ２５にてＹＥＳ）、トラック移動処理を終了する。
【００５０】
このようにして、トラック移動処理を終了すると、記録媒体１に記録されているプログラムのうちで、新たに記録されるプログラムに割り当てるトラック番号以上のトラック番号が割り当てられて既に記録されているプログラムには、１だけインクリメントしたトラック番号が新たに割り当てられる。
【００５１】
トラック移動処理が終了すると、図２に戻って、グループ記録処理部１０は、ディスク記録処理部２を制御して、変数RecTNOに示されるトラック番号に対応して、記録媒体１に対する新たなユーザデータの記録を開始する（ステップＳ５）。
これにより、新たに記録するプログラムに、同一の記録モードで既に記録媒体１に記録されたプログラムに割り当てられているトラック番号に続くトラック番号を割り当て、記録媒体１に記録することができる。
【００５２】
こののち、グループ記録処理部１０は、指示入力部４によりユーザデータの記録を停止する旨の指示が入力されたり、記録媒体１の残容量がなくなったりするなどの、記録媒体１への記録を停止する要因が発生したか否かを判別する（ステップＳ６）。
【００５３】
グループ記録処理部１０は、記録停止要因が発生していないと判別すると（ステップＳ６にてＮＯ）、音声入力端子Ａｉから入力された音声信号に無音区間があったなどの、トラック番号を増加させる要因が発生したか否かを判別する（ステップＳ７）。
【００５４】
グループ記録処理部１０は、トラック番号増加要因が発生していないと判別すると（ステップＳ７にてＮＯ）、処理を上記ステップＳ６にリターンして、記録媒体１に対するユーザデータの記録を継続する。
【００５５】
一方、グループ記録処理部１０は、トラック番号増加要因が発生したと判別すると（ステップＳ７にてＹＥＳ）、変数RecTNOを１だけインクリメントして（ステップＳ８）、上記ステップＳ４と同様のトラック移動処理を実行する（ステップＳ９）。
こののち、グループ記録処理部１０は、処理を上記ステップＳ６にリターンして、記録媒体１に対するユーザデータの記録を継続する。
【００５６】
また、グループ記録処理部１０は、上記ステップＳ６にて、記録停止要因が発生したと判別すると（ステップＳ６にてＹＥＳ）、ディスク記録処理部２を制御して記録媒体１に対するユーザデータの記録を停止させ（ステップＳ１０）、グループ記録処理を終了する。
【００５７】
こうして記録媒体１に対するユーザデータの記録が終了したのち、例えば指示入力部４により電源を切断する旨の指示が入力されると、グループ記録処理部１０は、記録媒体１に記録した各プログラムへのトラック番号の割り当て等を示す管理情報をディスク記録処理部２に供給する。
ディスク記録処理部２は、グループ記録処理部１０から供給された管理情報を記録媒体１の所定領域に書き込み、グループ化に応じた順序でのユーザデータの再生を可能とする。
すなわち、記録媒体１からユーザデータを再生可能な再生装置に記録媒体１をセットして、通常の再生動作によりトラック番号が増加する順序でユーザデータを再生すると、例えば圧縮率が同一の楽曲を続けて再生することができる。
【００５８】
以上説明したように、この発明によれば、記録モードが同一のプログラムをグループ化したトラック番号を自動的に割り当てて記録媒体１に記録し、再生時に、同一の記録モードのプログラムを続けて再生することができる。
これにより、例えば圧縮率が異なる複数の記録モードで複数のプログラムを記録した場合に、圧縮率が同一のプログラムを続けて再生することができ、利便性が増大する。
【００５９】
この発明は、上記実施の形態に限定されず、様々な変形及び応用が可能である。
例えば、記録媒体１は、ＭＤといったディスク状のものに限定されず、例えばメモリースティックや、ＳＤ（Secure Digital）メモリーカードといった固体メモリ等、圧縮率が異なる複数の記録モードでユーザデータを記録可能な任意の記録媒体であってもよい。
【００６０】
上記実施の形態では、音声入力端子Ａｉから入力された音声信号に基づいて作成したオーディオデータを、記録媒体１に記録するものとして説明したが、これに限定されない。すなわち、例えば、画像データや計算機データ等といった、ユーザデータから構成されるプログラム毎にトラック番号を割り当てて再生順序を制御する任意のデータに適用可能である。
【００６１】
また、トラック番号をＵ−ＴＯＣといった管理情報により管理する場合に限定されず、例えばサブコードといった、記録、再生等を制御するための補助的情報である副情報によりトラック番号を管理する場合にも適用可能である。
【００６２】
さらに、複数の記録モードは、互いに圧縮率が異なる場合に限定されず、例えば特開平１０−１３４４８１号公報に開示されているように、再生時の再生速度をトラック毎に指定できる場合に、指定された再生速度毎にプログラムをグループ化して記録するように、トラック番号を調整してもよい。
【００６３】
この発明の記録装置は、専用の装置を必要とせず、通常の記録装置として機能するコンピュータを用いても実現可能である。すなわち、例えば書き換え可能なＭＤといった光磁気ディスクにデータを記録する光磁気ディスク記録装置として機能するコンピュータに上述の各処理を実行させるためのプログラムを、記録媒体（フロッピーディスク、ＣＤ−ＲＯＭ、ＭＯ、ＲＯＭ等）に記録して配布し、これをコンピュータにインストールして実行させることにより、この発明の記録装置として機能させることができる。インストールによって、当該プログラムは、コンピュータ内のハードディスク、ＥＥＰＲＯＭ等の媒体に記録されて、実行に供される。
【００６４】
ここで、プログラムを配布する方法は、記録媒体によるものに限らず、例えば、インターネット等の通信ネットワークを使用するものであってもよい。この場合には、例えば、インターネット上に設けたＦＴＰ（File Transfer Protocol）サーバに当該プログラムを登録し、ＦＴＰクライアントにネットワークを介して配信すればよい。また、通信ネットワーク上の電子掲示板（ＢＢＳ；Bulletin Board System）等に当該プログラムを登録し、これをネットワークを介して配信してもよい。
【００６５】
【発明の効果】
以上の説明のように、この発明によれば、新たに記録するプログラムに、記録モードが同一のプログラムをグループ化するためのトラック番号を自動的に割り当てることができる。
これにより、同一の記録モードで記録したプログラムを再生時に続けて再生することができ、複数の記録モードに合わせて適切な順序で再生可能とするべくデータを記録することができる。
【図面の簡単な説明】
【図１】この発明の実施の形態に係る記録装置の構成を示す図である。
【図２】グループ記録処理を説明するためのフローチャートである。
【図３】同一記録モード検索処理を説明するためのフローチャートである。
【図４】トラック移動処理を説明するためのフローチャートである。
【符号の説明】
１    記録媒体
２    ディスク記録処理部
３    システムコントローラ
４    指示入力部
５    表示部
１０    グループ記録処理部
１００    記録装置
Ａｉ    音声入力端子
【図１】
0003762622.tif 000002
【図２】
0003762622.tif 000003
【図３】
0003762622.tif 000004
【図４】
0003762622.tif 000005